(57)【要約】【課題】電気掃除機のコード巻取り装置において、電源コードが絡まりやすく、また回転制動が良くないこと。【解決手段】水平方向に回転する電源コード巻取り装置３の回転の制動を行うブレーキ装置を備え、ブレーキ装置は制動バネ２６と軟質弾性材よりなるブレーキローラー２４を有し、ブレーキローラー２４の外周面を、制動バネ２６の付勢力により、上側リール板または下側リール板の外周面から支持軸方向へ略円環状に突出させた制動面１１ａに圧接させて制動すると共に、電動送風機から排出される排気風でブレーキローラー２４を熱して摩擦抵抗を増加させる構成としたもので、軟質弾性材で形成されたブレーキローラー２４が電動送風機から排出される排気風で熱せられて摩擦抵抗が増し、制動力を向上した電源コード巻取り装置を具備する電気掃除機を提供できるものである。【選択図】図２
2010063574.tif 000002
【特許請求の範囲】
【請求項１】
吸引風を発する電動送風機と、塵埃を収集する集塵部と、略円盤状の上側リール板と下側リール板を有し、前記上側、下側リール板は互いの略中心部を支持軸により空間を設けて連結され、前記上側、下側リール板が水平方向に回転することにより前記空間内で前記支持軸のまわりに電源コードを巻き付ける電源コード巻取り装置と、前記電源コード巻取り装置の回転の制動を行うブレーキ装置とを備え、前記ブレーキ装置は制動バネと軟質弾性材よりなるブレーキローラーを有し、前記ブレーキローラーの外周面を、前記制動バネの付勢力により、前記上側リール板または下側リール板の外周面から前記支持軸方向へ略円環状に突出させた制動面に圧接させて制動すると共に、前記電動送風機から排出される排気風で前記ブレーキローラーを熱して前記ブレーキローラーの摩擦抵抗を増加させる構成とした電気掃除機。
【請求項２】
電源コードを、上側リール板と下側リール板の間で、水平方向で且つ一段渦巻状に巻き取る構成とした請求項１に記載の電気掃除機。
【請求項３】
上側リール板の上方で電気掃除機本体に固定して設けられた隔壁と、前記上側リール板と前記隔壁との間で回転自在となるように前記隔壁に軸支持されたローラーとを備え、前記ローラーは、その回転する外周面を前記上側リール板に当接させる構成とした請求項１または２に記載の電気掃除機。
【発明の詳細な説明】
【技術分野】
【０００１】
本発明は、電源コード巻取り装置およびそれを有する電気掃除機に関するものである。
【背景技術】
【０００２】
従来のこの種の電源コード巻取り装置としては、図６に示すように、リール３４に、複数段で電源コード３５を巻き取るようにしたものがある（例えば、特許文献１参照）。
【特許文献１】特許第３２９１３７５号公報
【発明の開示】
【発明が解決しようとする課題】
【０００３】
しかしながら、上記特許文献１に記載された従来の電源コード巻取り装置の構成では、電源コード巻取り装置内で、電源コード３５が重なりあい、引き出せなくなったり、電源コード３５を多段に巻き取ることで、電源コード巻取り装置自体の厚みが必要となり、結果として、それを組み込んだ電気掃除機などの機器本体の高さを高くする必要があり、使い勝手の悪いものであった。
【０００４】
また、家庭用電気掃除機に使用するような電源コードは非常に長さが長くリール板３４の径が大きくなるために、成形による反りの影響や剛性不足でスムーズな電源コードの巻取りができないという課題があった。さらには、電源コードをスムーズに巻き取るために、勢い良くコード巻取り装置を回転させるため、ブレーキ装置で制動させてもブレーキスリップを起こしやすく自然に電源コードが巻き取られ、使い勝手が悪いものであった。
【０００５】
本発明は上記従来の課題を解決するものであり、電源コード巻取り装置自体の剛性を上げ、前記回転体による巻取り抵抗の低減によりスムーズな電源コード巻取り性を確保し、また、回転制動に優れたブレーキ機構を備え、電源コード巻取り装置自体の厚みを小さくすることにより、小型化した電気掃除機を提供することを目的としている。
【課題を解決するための手段】
【０００６】
従来の課題を解決するために、本発明は、吸引風を発する電動送風機と、塵埃を収集する集塵部と、略円盤状の上側リール板と下側リール板を有し、前記上側、下側リール板は互いの略中心部を支持軸により空間を設けて連結され、前記上側、下側リール板が水平方向に回転することにより前記空間内で前記支持軸のまわりに電源コードを巻き付ける電源コード巻取り装置と、前記電源コード巻取り装置の回転の制動を行うブレーキ装置とを備え、前記ブレーキ装置は制動バネと軟質弾性材よりなるブレーキローラーとを有し、前記ブレーキローラーの外周面を、前記制動バネの付勢力により、前記上側リール板または下側リール板の外周面から前記支持軸方向へ略円環状に突出させた制動面に圧接させて制動すると共に、前記電動送風機から排出される排気風で前記ブレーキローラーを熱して前記ブレーキローラーの摩擦抵抗を増加させる構成としたもので、軟質弾性材で形成されたブレーキローラーが電動送風機から排出される排気風で熱せられて摩擦抵抗が増えるため、制動力が向上したコード巻取り装置を備えた電気掃除機を提供できるのである。
【発明の効果】
【０００７】
本発明の電気掃除機は、電源コード巻取り装置内でのコードの重なりを防止しスムーズに電源コードの出し入れができるとともに、ブレーキ制動に優れ、小型化することができる。
【発明を実施するための最良の形態】
【０００８】
第１の発明は、吸引風を発する電動送風機と、塵埃を収集する集塵部と、略円盤状の上側リール板と下側リール板を有し、前記上側、下側リール板は互いの略中心部を支持軸により空間を設けて連結され、前記上側、下側リール板が水平方向に回転することにより前記空間内で前記支持軸のまわりに電源コードを巻き付ける電源コード巻取り装置と、前記電源コード巻取り装置の回転の制動を行うブレーキ装置とを備え、前記ブレーキ装置は制動バネと軟質弾性材よりなるブレーキローラーとを有し、前記ブレーキローラーの外周面を、前記制動バネの付勢力により、前記上側リール板または下側リール板の外周面から前記支持軸方向へ略円環状に突出させた制動面に圧接させて制動すると共に、前記電動送風機から排出される排気風で前記ブレーキローラーを熱して前記ブレーキローラーの摩擦抵抗を増加させる構成としたもので、軟質弾性材で形成されたブレーキローラーが電動送風機から排出される排気風で熱せられて摩擦抵抗が増えるため、制動力が向上したコード巻取り装置を備えた電気掃除機を提供できるのである。
【０００９】
第２の発明は、第１の発明の電源コードを、上側リール板と下側リール板の間で、水平方向で且つ一段渦巻状に巻き取る構成としたもので、電源コード巻取り時の電源コード巻取り装置内での電源コードの重なりが無くなり、スムーズに回転させることができるのである。
【００１０】
第３の発明は、第１または第２の発明に加えて、上側リール板の上方に設けられた隔壁と、上側リール板と前記隔壁との間で回転自在となるように前記隔壁に軸支持されたローラーとを備え、前記ローラーは、その回転する外周面を前記上側リール板に当接させる構成としたもので、上側リール板が回転時の反動で傾いたとしても隔壁内面に擦れること無く、上側リール板とローラーが接触することにより前記ローラーが回転し、回転性を損なうこと無く電源コード巻取り装置をスムーズに回転させることができるのである。
【００１１】
（実施の形態１）
本発明の第１の実施の形態における電気掃除機について、図１〜３を用いて説明する。
【００１２】
図１は、本実施の形態における電源コード巻取り装置３を搭載した電気掃除機本体（以下、「本体」と称す）１の側面断面図、図２は、同電源コード巻取り装置の平面図、図３は、同電源コード巻取り装置の断面図である。
【００１３】
図１において、本体１の下部に、各々３６０度方向転換できるキャスター２を配置するとともに、その上段には、本実施の形態における電源コード巻取り装置３が設けられており、電源プラグ４が、本体１の後部に配置されている。さらに、電源コード巻取り装置３の上段（本体上部）の前方には、塵埃を収容する集塵ボックス４を備えた集塵室５を、後方には、塵埃を吸引するための電動送風機６をそれぞれ配置している。
【００１４】
以上のように構成された電気掃除機による動作は、電動送風機６によって外気と共に吸引された塵埃は、集塵室５内の集塵ボックス４に収容される。集塵ボックス４は集塵室５の上方に取り外しが可能で集塵室５を本体１より取り外し集塵室５から容易に塵埃を破棄できる。
【００１５】
次に、電源コード巻取り装置３の詳細な構成について図２、３を用いて説明する。
【００１６】
図２、３において、電源コード巻取り装置３は、本体１の電動送風機６を収納する電動送風機室７と電源コード巻取り装置３を収納する電源コード収納室８を区画する隔壁９と、電源コード１０を巻き取り電源コード１０を保持するための上ケース１１と、下ケース１２と、前記上ケース１１と下ケース１２を回転自在に保持する支持軸１３とから構成されている。電源コード巻取り装置３の支持軸１３上端は隔壁９にビス（爪）にて固定され、下端を本体１の底壁の穴１４に挿入し回転中心の位置決めをすると共に底壁により上下位置固定され形成されている。
【００１７】
次に電源コード巻き取り装置３の電気接続については上ケース１１と下ケース１２の中央部分に電源接続用ボックス１５が形成してある。電源接続用ボックス１５内には、電源コード１０の根元電線に溶接した接点１６が２個固定されており、接点１６に対向して配置された２列のリング形状のレール板１７に圧接されている。２列のリング形状のレール板１７は、ケースカバー１３に固着されており、レール板１７に一体に形成された接続端子１７ａと、電気掃除機本体１側の差込端子（図示せず）を接続することにより、電源コード１０から電源を電気掃除機本体１側に供給する。なおこの電気的接続構造は、電源コード巻取り装置３においては、一般的に使用されている構造であるため具体的構成の詳細説明は省略する。
【００１８】
上ケース１１と下ケース１２はそれぞれ外周側の一部を金属で形成された上側リール板１８と下側リール板１９にて構成し電源コード１０を巻き付ける部分を形成している。電源コード１０を巻き付ける部分は電源コード１０のコード直径に約１ｍｍ以上の余裕を持たせた寸法に設定してある。
【００１９】
上側リール板１８と下側リール板１９の外周端面にはそれぞれカール状に曲げられており、反りを減少させることができるとともに組立て時の電源コード１０の傷付きを防止できるのである。
【００２０】
また上側リール板１８と隔壁９の間に回転自在に軸固定された複数個のローラー２０が、その回転する外周面を上側リール板１８に当接させて回転自在となるように軸２１で固定されている。
【００２１】
コード巻取り装置３の回転付勢は、ゼンマイバネ２２にて行っており、ゼンマイバネ２２は、下ケース１２の中央部の高さが高くなった部分の下に配置され、さらに金属など剛性の強い材料からなり保護部材としての板金プレート２３によって外れないように取り付けてある。ゼンマイバネ２２は中央側を支持軸１３に固定し外側を下ケース１２に固定して取り付けられている。
【００２２】
また、上ケース１１の上面には、垂直方向に且つ円環状に突出した制動面１１ａを形成しており、この制動面１１ａは他の部品と接触しないように一定の空間を設けている。制動手段としては、ゴムなどの弾性材料からなり、制動面１１ａに接触し制動面１１ａの回転を抑える回転抵抗を有するブレーキローラー２４と、ブレーキローラー２４を制動面１１ａから遠ざけるための回動自在な制動レバー２５と、制動レバー２５を介してブレーキローラー２４を制動面１１ａに接触する方向に付勢する制動バネ２６が設けられている。
【００２３】
つまり、制動レバー２５を動かしてブレーキローラー２４を制動面１１ａから遠ざけると、ケース本体１２とケースカバー１３とで挟持されたコード巻取り装置３はゼンマイバネ２２の付勢力によって電源コード１０を巻き取っていく。電源コード１０を途中で止めたいときには、制動レバー２５を離し、ブレーキローラー２４を制動面１１ａと隔壁９の制動面９ａの間に挟まることでコード巻取り装置３を止めることができるのである。
【００２４】
また、電動送風機６から排出される排気風が直接触れる位置にブレーキローラー２４が配置されている。
【００２５】
上記構成による作用は以下の通りである。
【００２６】
弾性材料で形成されたブレーキローラー２４が電動送風機６から排出される排気風で熱せられて摩擦抵抗が増えるため、制動面１１ａとの制動力が向上する。
【００２７】
また上側リール板１８と下側リール板１９の間に前記電源コード１０を水平方向で且つ一段渦巻状に巻き取る構成としたので、電源コード１０巻取り時のコード巻取り装置３内での重なりが無くなり、スムーズに回転させることができるのである。
【産業上の利用可能性】
【００２８】
以上のように、本発明にかかる電気掃除機は、簡便な手段により電源コードの巻取り性に優れた各種家庭用、業務用電気掃除機等に広く適用できる。
【図面の簡単な説明】
【００２９】
【図１】本発明の実施の形態１における電気掃除機の全体断面図
【図２】同電気掃除機の電源コード巻取り装置の平面図
【図３】同電気掃除機の電源コード巻取り装置の断面図
【図４】従来の電源コード巻取り装置の断面図
【符号の説明】
【００３０】
３      電源コード巻取り装置
４      電源プラグ
６      電動送風機
９      隔壁
９ａ    制動面
１０    電源コード
１１ａ  制動面
１３    支持軸
２０    ローラー
２４    ブレーキローラー
２５    制動レバー
２６    制動バネ
【図１】
2010063574.tif 000003
【図２】
2010063574.tif 000004
【図３】
2010063574.tif 000005
【図４】
2010063574.tif 000006